(57)【要約】      （修正有）【課題】  お洒落に保持し、手を汚さずに食することができるピザ用トングを提供すること。【解決手段】  ピザ用トングは持部５を持ってピザ切断片８の底面に板状の支承部１を挿入し、ピザ切断片８の上面に押え込み片部２がくるよう持部５を持ち上げながら、押え込み片部２に連続する切り込み部に当るまで挿入し、親指と人差し指ないし薬指で指当部４ａ，４ｂを持ち上げながらピザを折り曲げ保持すると、同時に持部５に皿が形成され、はみ出した具がこの皿で受けるので手を汚さずにすむ。さらに押え込み片部の切断面２に両側から折り曲げられたピザ切断片８が喰いこみ、押え込み片部の上面と下面の切断面に面した部分も接することで堅固な保持力が得られるので、ピザ切断片８どうしが溶けたチーズでくっついたり、切り込みが少々あまくても取り分けられる実用的なピザ用フレキシブルトングとなる。【選択図】  図３
2006289036.tif 000002
【特許請求の範囲】
【請求項１】
支承面部と、指当部と、押え込み片部と、切り込み部とからなるピザ用フレキシブルトングにおいて、前記支承面部は板状でピザ切断片の底面に挿入してピザを支えるものであって、前記指当部は前記支承面部の両端に位置し、ピザ切断片を支承し具の面が向きあうように折り曲げ保持するためのものであり、前記押え込み片部は前記支承面部より短く前記支承面部の先端側から始まり、前記指当部に向かって切り込まれていて、ピザ切断片を上から押え込むためと、ピザ切断を折り曲げ保持したとき切断に深く喰い込むことで、堅固な保持力が得られることを特徴とするピザ用フレキシブルトング
【請求項２】
前記支承面部は下方向に、指当部と押え込み片部は上方向にピザ切断片の基部の厚み以上の隙間ができるように熱可塑性樹脂で成型する事を特徴とする請求項１記載のピザ用フレキシブルトング
【請求項３】
前記押え込み片部を上方向にピザ切断片の基部の厚み以上の隙間ができるように熱可塑性樹脂で成型することを特徴とする請求項１記載のピザ用フレキシブルトング
【請求項４】
また本発明をデリバリーピザ屋、冷蔵食品ピザ、冷凍食品ピザ業界のパッケージの一部を利用することで数人分のフレキシブルトングが作れることを特徴とする請求項１記載のピザ用フレキシブルトング。
【発明の詳細な説明】
【技術分野】
【０００１】  本発明はピザ用フレキシブルトングに関する。
【背景技術】
【０００２】  従来ピザは手づかみで食すのが一般的であって、それによって押し出された具で手を汚すことが多々あった。【０００３】  ピザを取り分けるための金属で出来たヘラ状の道具はあるが（例えば特許文献１参照）ピザ専用の簡単な道具がいまだにないのが現状である。【０００４】  そのような中で、従来あるピザを取り分けるヘラ状の道具について説明する。ピザの底面に挿入してピザを支承し得る板状の支承面部を設け、この支承面部と対向状態にして支承面部よりよりも短い鋏み込み片部を設けると共に、この鋏み込み片部は支承面部にたいして離反方向に弾発付勢されるように構成し、この支承面部の基端部に握持部を設け、この握持部を握持した手の親指で前記鋏み込み片部を弾発付勢に抗しに近接するように押圧した際、支承面部に支承したピザ切断片の其部側をこの鋏み込み片部で上方から押え込んで支承面部と鋏み込み片部とでピザ切断片を挟み込み係止得るように構成し、ピザを食べやすくするために支承面部のヘラ状の先端部を短く切断するとしている。しかし先端部が短くなればなるほどピザの先端部は下方に垂れ下がり具が流れ落ちてしまうし、その垂れ下がった先端部を口に持ってくるには口より高く持ち上げるか別の手、しかも素手で持ち上げなくては食せない。またトングを握りしめながら反発する指押部を親指で押さえ続けなければピザを保持出来ないので親指が非常に疲れる欠点があるし、さらにこの持ち方で口元へ運ぼうとすると手首、肘をそれぞれ９０度以上手前に無理に曲げなければならず、腕が痛くて食す事が出来ない。さらにこの持ち方で手首をかえすとピザを保持した面は下に向きピザ片が垂れ下がってしまう。またピザの底面に先端部を挿入して親指で上から押え込むとピザの具を押し出してしまう欠点もある。【０００５】
【特許文献１】特開２００２−３１５６８０号公報
【発明の開示】
【発明が解決しようとする課題】
【０００６】  本発明は以上のような従来の欠点に鑑み、ピザを食すために手を触れることなくお洒落に保持でき、切り分けられたピザの溶けたチーズが再度くっついたり、不完全に切断されていてもピザを強力に保持することで無理なく取り分けられ、しかも手を汚さずに食することができるピザ用フレキシブルトングを提供することを目的としている。【０００７】  本発明の前記ならびにそのほかの目的と新規な特徴は次の説明を添付図面と照らし合わせて読むと、より完全に明らかになるであろう。ただし図面はもっぱら解説のためのものであって、本発明の記述的範囲を限定するものではない。
【課題を解決するための手段】
【０００８】  上記目的を達成するために、本発明は、支承面部１はピザ切断片８の底面に挿入してピザを支えるものであって、指当部４ａ、４ｂは前記支承面部１の両端に位置し、ピザ切断片８を支承し具の面が向きあうように折り曲げ保持するためのものであり、押え込み片部２は支承面部１より短く支承面部１の先端側から始まり、指当部４ａ、４ｂに向かって切り込まれていて、ピザ切断片８を上から押え込むためと、ピザ切断８を折り曲げ保持したとき切断面２ａ、２ｂに深く喰い込むことで、堅固な保持力が得られることを特徴とするピザ用フレキシブルトングに係わるものである。【０００９】  前記支承面部１は下方向に、指当部４ａ、４ｂと押え込み片部２は上方向にピザ切断片８の基部９の厚み以上の隙間ができるように熱可塑性樹脂で成型する事を特徴とする請求項１記載のピザ用フレキシブルトングに係わるものである。【００１０】  前記押え込み片部２を上方向にピザ切断片８の基部９の厚み以上の隙間ができるように熱可塑性樹脂で成型することを特徴とする請求項１記載のピザ用フレキシブルトングに係わるものである。【００１１】  また本発明をデリバリーピザ屋、冷蔵食品ピザ、冷凍食品ピザ業界のパッケージの一部を利用するだけで数人分のフレキシブルトングが作れことを特徴とするピザ用フレキシブルトングに係わるものである。
【発明の効果】
【００１２】  以上の説明から明らかなように、本発明にあっては次に列挙する効果が得られる。
（１）
【請求項１】
の構成要件とで構成されているので従来、ピザは手づかみで食すことが普通であったため、溶けたチーズや具が押し出されて手についてしまったり、素手で持つことに対して違和感を持つ人もいた。本発明品を使用することでピザに直接触れることなく簡単な操作でピザを堅固に保持でき、それによって切り分けられたピザどうしが溶けたチーズで再びくっついたり切りかたが不完全でも取り分けられ、具の面を内側に折り曲げて保持したことで、ピザの先端部が下方に垂れ下がらなくなり、溶けたチーズや具等が流れ出すこともなくなり、ピザ切断片が短くなって具が基部方向に押し出されても持部と指当部とで形成した皿で受け止めるので手を汚さずにすみ、簡易にピザ切断片を掴んで食せる極めて実用的なピザ用トングとなる。
【００１３】  （２）また
【請求項２】
の構成要件とで構成されているので図１２に示す本発明を実施するための第二の形態において、前記本発明を実施するための最良の第一形態と主に異なる点は、支承面部は下方向と指当部と押え込み片部は上方向にピザ切断片の基部の厚み以上の隙間を作る円弧状に熱可塑性樹脂で成型する事で、持部を持ち上げなくてもそのまま切り込み部に当たるまで挿入して折り曲げ保持でき、さらに上から押し潰すと一枚の平板になり隙間もなくかさばらずに積み重ねて収納できる。また使用する時は円弧形状の癖がついているので平板から元の形にすぐ戻るので使用勝手がよく何度も使用できる道具となる。このように形成したピザ用トングにしても、前記本発明を実施するための最良の第一の形態と同様な作用効果が得られる。
【００１４】  （３）また
【請求項３】
の構成要件とで構成されているので  図１３に示す本発明を実施するための第二の形態において、前記本発明を実施するための最良の第一形態と主に異なる点は、熱可塑性の樹脂を使用し、押え込み片部を上方向に、ピザ切断片の基部の厚み以上の隙間を作るように成型する事で、切り込み部に当たるまで挿入して折り曲げ保持でき、押え込み片部の下の支承面部は押え込み片部と同等の穴があいているのでかさばらずに積み重ねて収納できる。このように形成したピザ用トングにしても、前記本発明を実施するための最良の第一の形態と同様な作用効果が得られる。
【００１５】  （４）また
【請求項４】
の構成要件とで構成されているので図１４に示す本発明を実施するための第二の形態において、前記本発明を実施するための最良の第一形態と主に異なる点は、本発明をデリバリーピザ屋、冷蔵食品ピザ、冷凍食品ピザ業界のパッケージの一部を利用するだけで数人分のトングが作れ、しかも材料代がかからずわずかな費用の抜き型を追加するだけ製造でき、使用済のトングはパッケージの一部なのでそのまま捨ててもゴミの量は増えない利点があり、前記本発明を実施するための最良の第一の形態と同様な作用効果が得られる。
【発明を実施するための最良の形態】
【００１６】
【００１７】  図面に示す好適と考える本発明をどのように実施するかを図面に基づいてその作用効果を示して簡単に説明する。【００１８】  図２に示すように本発明品を持ってピザの切断片８の基部９（円弧状の部分）の底面に板状の支承面部１を挿入し、ピザ切断片８の基部９の上面に押え込み片部２がくるよう持部５を持ち上げると、支承面部１と押え込み片部２の間にピザ切断片８を挟む隙間が生じる。そこへ押え込み片部２に連続する切り込み部３ａ、３ｂにあたるまで挿入し、親指と人差し指ないし薬指で持ち上げながらピザの具どうしが互いに向き合うように折り曲げて持ったとき（図３、図４）、ピザ切断片８の基部９も当然垂直方向に折り曲がっていて上部から押さえている押え込み片部２の切断面２ａ、２ｂは水平方向にあってピザ切断片８より堅い材質なのと、折り曲げられた圧力とで基部９に喰い込みさらに押え込み片部２の上面と下面の切断面２ａ、２ｂ側に面した部分も接する事で、強固に保持できる。（図５）【００１９】  また、ピザの切断片８に支承面部１を挿入し終わったとき、指当部４ａ，４ｂはピザ切断片８の基部９より外側にあるため指を当てやすい。【００２０】  また、図６が示すようにピザの切断片８に支承面部１を挿入した後上面にある押え込み片部２を上から指で押し下げると、ピザの切断片８の基部９を支点にして指当部４ａ，４ｂが持ち上がって指を当てやすい状態になるので、そのまま親指と中指ないし薬指で折り曲げる事ができる。【００２１】  また、図４が示すようにピザ切断片８の具どうしが互いに向き合うように折り曲げた事でＵ字を形成し、先端部は下方に折り曲がりにくくなって具が垂れ落ちるのを防ぐことができ、それによってピザを持つための支承面部１を最小限にすることができ、材料費も少なくてしかもピザを食すとき邪魔にならない。【００２２】  また、支承面部１を一般的な大きさのピザ切断片８より小さくする事で隣のピザ切断片８にも当たらず底面９に容易に挿入できるので極めて操作性がよい。【００２３】  また、図７が示すようにピザ切断片８の具どうしが互いに向き合うように折り曲げた事で同時に指当部４ａ、４ｂと同一面上にある持部５とで皿を形成し、ピザ切断片８の基部９から具がはみ出してもここで受けるので手を汚さずにすむ。【００２４】  また、指当部４ａ、４ｂと持部５とで皿を形成したことで押え込み片部２が補強され、ピザ切断片８の基部９の上面をより強く押さえ込むことができる。【００２５】  よって  従来ピザは手づかみで食すのが一般的であって、それによって押し出された具で手を汚すことが多々あったが本発明品によって手を汚さずにすみ、簡易にピザ切断片８を掴んで食すことができる。
【実施例】
【００２６】
【００２７】  以下、図面に示す発明を実施するための最良の形態により、本発明を詳細に説明する。【００２８】  図１に示す本発明を実施するための最良の第一の形態において、１はピザ切断片８の底面に挿入し支承する支承面部である。４ａ、４ｂは前記支承面部１に取り付けられた指当部で、支承面部１の両端に位置しピザ切断片８の其部９より外側にあって、ピザ切断片８を支承し具の面が向きあうように折り曲げ保持するためのものである。５は前記支承面部１に取り付けられた持部で、支承面部１の先端部と相反し、指当部４ａ、４ｂとの中間の位置にあって支承面部１をピザ切断片８の基部９底面に挿入するとき使用するとともに、ピザ切断片８の具どうしが向きあうように指当部４ａ、４ｂを持ち上げ保持したとき、指当部４ａ、４ｂと同一面上にある持部５とで押し出された具を受け止める皿を形成するのと、押え込み片部２の補強も兼ねた機能を併せ持つ。支承面部１と指当部４ａ、４ｂと持部５は同一平面上にあって隣接するピザ切断片８に触らずにつかみ取れるようピザ切断片８の形状より小さく基部９の底面に挿入しやすい薄板材からなり、扇形を形成している。【００２９】  上記扇形と同一面上にあって２は押え込み片部で、支承面部１より短く支承面部１の先端側から切り込みで始まり持部５に向かって切り込まれていてピザ切断片８の基部９を上から押え込むとともに、先端部を指で垂直方向に押すと、基部９を支点にして持部５と、同一面上にある指当部４ａ、４ｂとが同時に浮き上る事で、指をあてやすくなる機能を併せ持つ。２ａ、２ｂは前記押さえ込み片部２の切断面で、ピザ切断片８の具どうしが向きあうように折り曲げたとき、ピザ切断片８の基部９が切断面２ａ、２ｂに深く喰い込み、さらに上面と下面の切断面２ａ、２ｂ側に面した部分も接する事で、堅固な保持力が得る。３ａ、３ｂは切り込み部で、押え込み片部２と連続し指当部５ａ、５ｂに向かって切り込まれている。押え込み片部２と切り込み部３ａ、３ｂは連続した切り込み線を形成している。【００３０】  図８が示すように持部５に５ａ、５ｂを設けると持ちやすくなり、図９のようにピザ切断片８の基部９の底部に挿入しやすくなる。【００３１】  図８が示すように押え込み片部２に連続する切り込み部３ａ、３ｂに連続して支承面部に向かって円弧状の切り込みを設けると、具どうしが互いに向き合うように折り曲げて保持すると、切り込み部４ａ、４ｂの切断面が押圧してる指に喰い込み、図１０のようにピザ切断片８の先端部が下方に向くのと落ちるのを防ぐことができる。【００３２】  また図８が示すように支承面部１に折れ線１ａ、１ｂを、持部に折れ線６ａ、６ｂを設けると、ピザ切断片８を折り曲げやすくなる。【００３３】  また図８が示すように支承面部１の両端と指当部４ａ、４ｂの近くに折れ線１０ａ、１０ｂを設け谷折りの強力な折れ癖をつけると、指当部４ａと４ｂは上方に浮き上がって指を当てやすくなり、支承面部１は下方に円弧状に曲がるので、ここにピザ切断片を挟む隙間が生じて、図１１のように持部を持ち上げなくてもそのまま切り込み部に当るまでピザ切断片８に挿入できるようになる。さらに立体になっても一枚の板に切込みを入れただけの構造なので、隙間な���積み重ねられ無駄のない収納ができる。【００３４】  また本発明を既製の食害のない紙や合成紙、プラスチック薄板材を使用して抜き型で抜けばコストも安く大量生産が出来、積み重ねて梱包してもかさばらないので流通経費が安くすむ利点がある。【００３５】  以下、上記構成の動作を説明する。上記構成のピザ用トングは持部５を持ってピザの切断片８の基部９の底面に板状の支承部１を挿入し、ピザ切断片８の基部９の上面に押え込み片部２がくるよう持部５を持ち上げながら、押え込み片部２に連続する切り込み部３ａ、３ｂにあたるまで挿入する。ピザ切断片８の基部９上に位置する押え込み片部２の先端部を指で垂直方向に押すと、基部９を支点にして持部５と同一面上に位置する指当部５ａ、５ｂとが同時に浮き上がる為、指を当てやすい状態になるのでそこを親指と人差し指ないし薬指で持ち上げながらピザ切断片８の具どうしが互いに向き合うように折り曲げたとき、指当部４ａ、４ｂと同一面上にある持部５とで押し出された具を受け止める皿を形成する。さらに皿を形成したことで押え込み片部２が補強され、ピザ切断片８の基部９は上面から強く押さえ込まれ、さらに押え込み片部２の切断面２ａ、２ｂと両側から折り曲げられたピザ切断片８の其部９が喰いこみ、さらに押え込み片部２の上面と下面の切断面２ａ、２ｂに面した部分も接することで堅固な保持力が得られるので、ピザ切断片８どうしが溶けチーズでくっついたり、切り込みが少々あまくても取り分けられる実用的なピザ用フレキシブルトングとなる。
【発明を実施するための異なる形態】
【００３６】
【００３７】  次に、図１２〜図１４に示す本発明を実施するための異なる形態につき説明する。なお、これらの本発明を実施するための異なる形態の説明に当たって前記本発明を実施するための最良の第一の形態と同一構成部分には同一符号を付して重複する説明を省略する。
【００３８】  図１２に示す本発明を実施するための第二の形態において、前記本発明を実施するための最良の第一形態と主に異なる点は、熱可塑性樹脂を使用し、支承面部１は下方向と指当部４ａと４ｂと押え込み片部２は上方向にピザ切断片の基部９の厚み以上の隙間を作る円弧状に薄板成型する事で、持部５を持ち上げなくてもそのまま切り込み部３ａ、３ｂに当たるまで挿入して折り曲げ保持でき、さらに上から押し潰すと一枚の平板になり隙間もなくかさばらずに積み重ねて収納できる。また使用する時は円弧形状の癖がついているので平板から元の形にすぐ戻るので使用勝手がよく何度も使用できる道具となる。このように形成したピザ用フレキシブルトングにしても、前記本発明を実施するための最良の第一の形態と同様な作用効果が得られる。
【００３９】  図１３に示す本発明を実施するための第二の形態において、前記本発明を実施するための最良の第一形態と主に異なる点は、熱可塑性の樹脂を使用し、押え込み片部２を上方向にピザ切断片の基部９の厚み以上の隙間を作るようにに成型する事で、切り込み部３ａ、３ｂに当たるまで挿入して折り曲げ保持でき、押え込み片部２の下の、支承面部１は押え込み片部２と同等の穴があいているのでかさばらずに積み重ねて収納できる。このように形成したピザ用フレキシブルトングにしても、前記本発明を実施するための最良の第一の形態と同様な作用効果が得られる。
【００４０】  図１４に示す本発明を実施するための第二の形態において、前記本発明を実施するための最良の第一形態と主に異なる点は、本発明をデリバリーピザ屋、冷蔵食品ピザ、冷凍食品ピザ業界のパッケージの一部を利用することで材料代がかからず数人分のトングが作れ、しかもわずかな費用の抜き型を追加するだけ製造できる利点がある。このように形成したピザ用フレキシブルトングにしても、前記本発明を実施するための最良の第一の形態と同様な作用効果が得られる。
【産業上の利用可能性】
【００４１】  本発明はピザを製造販売する産業で利用される。
【図面の簡単な説明】
【００４２】
【図１】本発明を実施するための最良の第一の形態の正面図。
【図２】本発明を実施するための最良の第一の形態の斜視図。
【図３】本発明を実施するための最良の第一の形態の斜視図。
【図４】本発明を実施するための最良の第一の形態の斜視図。
【図５】本発明を実施するための最良の第一の形態のピザを保持した状態をピザ先端部から見た図である。
【図６】本発明を実施するための最良の第一の形態の断面図。
【図７】本発明を実施するための最良の第一の形態のピザを保持した状態を持部から見た図である。
【図８】本発明を実施するための最良の第一の形態の実施例を示す正面図である。
【図９】本発明を実施するための最良の第一の形態の斜視図。
【図１０】本発明を実施するための最良の第一の形態の斜視図。
【図１１】本発明を実施するための最良の第二の形態の下面図。
【図１２】本発明を実施するための最良の第二の形態の下面図。
【図１３】本発明を実施するための最良の第二の形態の斜視図。
【図１４】本発明を実施するための最良の第二の形態の斜視図。
【符号の説明】
【００４３】１：支承面部      １ａ、１ｂ：折れ線
２：押え込み片部  ２ａ、２ｂ：押え込み片部切断面
３ａ，３ｂ：切り込み部
４ａ、４ｂ：指当部
５、５ａ、５ｂ：持部
６ａ、６ｂ：折れ線
７ａ、７ｂ：切り込み線
８：ピザ切断片
９：ピザ切断片の其部
１０ａ、１０ｂ：折れ線
２２：押え込み片部
【図１】
2006289036.tif 000003
【図２】
2006289036.tif 000004
【図３】
2006289036.tif 000005
【図４】
2006289036.tif 000006
【図５】
2006289036.tif 000007
【図６】
2006289036.tif 000008
【図７】
2006289036.tif 000009
【図８】
2006289036.tif 000010
【図９】
2006289036.tif 000011
【図１０】
2006289036.tif 000012
【図１１】
2006289036.tif 000013
【図１２】
2006289036.tif 000014
【図１３】
2006289036.tif 000015
【図１４】
2006289036.tif 000016